(57)【要約】【課題】  車両に搭載されたメディアソースの使用状況を表示することができる「表示システム」を提供する。【解決手段】  車両に搭載されたメディアソースの使用状況を表示するための表示システム１は、フロント、リア等の座席空間にそれぞれ設けられた複数のディスプレイ１００、１１０、１１２、１２０、１２２と、音楽や映像等のメディアに関するデータを提供可能な複数のメディアソース２００、２０２、２０４、２０６、２０８、２１０、２１２と、ディスプレイの各々がどのメディアソースを使用しているかを判別する使用状況判別部６０と、使用状況判別部６０により判別されたメディアソースの使用状況をディスプレイに表示させる表示制御部８０とを有する。【選択図】      図４
2006003505.tif 000002
【特許請求の範囲】
【請求項１】
車両に搭載されたメディアソースの使用状況を表示するための表示システムであって、
複数の座席空間にそれぞれ設けられた複数のディスプレイと、
音楽や映像等のメディアに関するデータを提供可能な複数のメディアソースと、
ディスプレイの各々がどのメディアソースを使用しているかを判別する使用状況判別手段と、
使用状況判別手段により判別されたメディアソースの使用状況をディスプレイに表示させる表示制御手段と、
を有する表示システム。
【請求項２】
表示制御手段は、ユーザーからの入力に応答して、選択されたディスプレイに他のディスプレイのメディアソースの使用状況を表示させる、請求項１に記載の表示システム。
【請求項３】
前記使用状況は、メディアソースが提供しているデータの内容表示を含む、請求項１または２に記載の表示システム。
【請求項４】
前記使用状況は、選択されたディスプレイが使用可能なメディアソースの表示を含む、請求項１ないし３いずれか１つに記載の表示システム。
【請求項５】
表示制御手段は、複数のディスプレイと複数のメディアソースとのマトリックス状の表示によりメディアソースの使用状況を表す、請求項１ないし４いずれか１つに記載の表示システム。
【請求項６】
表示制御手段は、複数の座席空間と複数のディスプレイとの位置関係を表示させる、請求項１ないし５いずれか１つに記載の表示システム。
【請求項７】
表示システムはさらに、使用状況が表示された画面において使用可能なメディアソースを選択するための入力手段を含む、請求項１ないし６いずれか１つに記載の表示システム。
【発明の詳細な説明】
【技術分野】
【０００１】
本発明は、車両に搭載されたメディアソースの使用状況を表示するための表示システムに関する。
【背景技術】
【０００２】
家庭用のホームエンターテイメントでは、２チューナー内蔵のＨＤＤ／ＤＶＤビデオレコーダ、地上波／衛星ディジタルチューナ内蔵の大型テレビなどが出現し、マルチメディアに対応する動きが急速に進んでいる。
【０００３】
一方、自動車に代表される車両では、ナビゲーション装置、オーディビデオ（ＡＶ）装置、ＴＶチューナー、およびラジオチューナー等の各種電子機器が搭載され、車内空間においてこれら電子機器から提供される音楽や映像データを楽しむ、車内エンターテイメントシステムが構築されつつある。
【０００４】
特に、車内空間の比較的大きなミニバンやワンボックスカーでは、フロント（前部座席）とリア（後部座席）に、それぞれディスプレイが搭載され、フロントとは異なる音楽や映像をリア側ディスプレイで表示したり、リア側空間に５．１チャンネルサラウンドを提供したり、リアエンターテイメントの充実も図られている。
【０００５】
特許文献１は、カーＡＶ装置などに用いられる表示装置に関し、必要な場合にシステムの機器構成（ＣＤプレーヤー、ＭＤプレーヤー、カセットテーププレーヤー、受信機チューナー等）が一覧でき、かつ、現在選択されているシステム構成要素の確認を画面上で容易に行うことを可能とする表示装置を提供している。これにより、ユーザーは、システムの構成機器を確認するためのキー操作等が不要となり、その取り扱い操作を容易にすることができる。
【０００６】
【特許文献１】特開平１０−９２１６２号
【発明の開示】
【発明が解決しようとする課題】
【０００７】
しかしながら、今後、ホームエンターテイメントと同様に、車内エンターテイメントが進化していくと、次のような課題がある。ホームエンターテイメントの場合は、テレビやＤＶＤ等の機器のコントローラーは、基本的に同一の場所に置かれ、その操作は、同一人物もしくはその場にいる全員の合意（場合によってそうならないこともある）により行われる。これに対して、車室内では、各人のコミュニケーションをとることは難しく、さらには、ディスプレイが複数設置されている場合にはなおさら困難である。また、フロントやリアに複数のディスプレイが設置され、かつ、種々のメディア機器が搭載された場合、各位置（ディスプレイ）で視聴するメディアは異なり、それぞれパーソナライズ化することが予想される。その際、どのメディア機器がどの位置（ディスプレイ）で使用されているのかが、車内にいる全員に共有されている必要がある。しかしながら、現状では、このような状況を提供するユーザーインターフェースを備えているシステムは未だ開発されていない。さらに、特許文献１においても、このような課題および課題を解決する手段を何ら開示し、示唆するものではない。
【０００８】
そこで本発明は、上記従来の課題を解決し、車両に搭載されたメディアソースの使用状況をディスプレイ上に表示することができる表示システムを提供することを目的とする。
【課題を解決するための手段】
【０００９】
本発明に係る、車両に搭載されたメディアソースの使用状況を表示するための表示システムは、複数の座席空間にそれぞれ設けられた複数のディスプレイと、音楽や映像等のメディアに関するデータを提供可能な複数のメディアソースと、ディスプレイの各々がどのメディアソースを使用しているかを判別する使用状況判別手段と、使用状況判別手段により判別されたメディアソースの使用状況をディスプレイに表示させる表示制御手段とを有する。
【００１０】
メディアソースとは、音楽や映像のデータを提供可能なメディア機器、メディア装置であり、例えば、ＣＤ、ＤＶＤ、ＭＤ等のディスクプレーヤー、地上波や衛星放送を受信するテレビ受信機、ラジオ受信機、ビデオカムコーダー、ディジタルカメラ、ナビゲーション装置などである。
【発明の効果】
【００１１】
本発明の表示システムによれば、ディスプレイがどのメディアソースを使用しているかを判別する使用状況判別手段と、その判別結果をディスプレイに表示させる表示制御手段を設けたことにより、車室内にいる個々のユーザーは、どのメディアソースがどのディスプレイにおいて使用されているのか、あるいは、ユーザーが選択可能な未使用なメディアソースはどれか、ということを簡単に認識することができる。
【発明を実施するための最良の形態】
【００１２】
本発明に係る表示システムは、好ましくは、自動車に搭載され、その車室内においてメディアソースの使用状況の表示を可能にする。以下、その詳細について図面を参照して詳細に説明する。
【実施例】
【００１３】
図１は、本発明の実施例に係る表示システムの構成を示すブロック図である。表示システム１は、複数のメディアソース１０−１、１０−２、・・・１０−ｎを含むメディアソース１０と、車室内の空間に設置される複数のディスプレイ２０−１、２０−２、・・・２０−ｎを含むディスプレイ２０と、ユーザからの指示や要求を受け取る入力部３０と、入力部３０からの要求に応じてメディアソース１０からのデータをディスプレイ２０へ提供するような制御を行うシステム制御部４０とを備えている。
【００１４】
メディアソースとは、ＣＤ、ＤＶＤ、ＭＤ等のディスクプレーヤー、地上波や衛星のテレビ受信機（チューナー）、ラジオ受信機、映像や音楽データを記録しこれを再生するハードディスク装置、ディジタルカメラ、ナビゲーション装置等のメディア機器またはメディア装置である。さらに、メディアソースは、表示システムの外部入力に接続されたメディア機器を含むものであっても良い。
【００１５】
ディスプレイ２０は、液晶やプラズマ等のフラットパネルディスプレイやＣＲＴディスプレイを含み、メディアソースから提供される映像や音楽データを表示する。スピーカーは、ディスプレイ２０に一体型であってもよいし、個別に取り付けられてもよい。ディスプレイ２０は、後述するように、車両のフロントおよびリア等に複数設置される。
【００１６】
メディアソース１０、ディスプレイ２０およびシステム制御部４０は、車内のバス４２によって接続され、バス４２を介して制御信号、データ信号の送受が行われる。入力部３０は、複数の操作キーを含むリモコンや、ディスプレイ２０と一体型のタッチパネルを用いることができる。リモコンによるときは、好ましくは無線通信によりデータを送信を行う。
【００１７】
図２は、システム制御部４０の内部構成を示すブロック図である。システム制御部４０は、入力部３０の入力に応答してメディアソース１０に含まれる所定のメディアソースを選択するソース選択部５０と、ソース選択部５０におけるメディアソースの選択状況に基づき、どのディスプレイがどのメディアソースを使用しているかを判別する使用状況判別部６０と、使用状況の判別結果を記憶するメモリ７０と、ディスプレイ２０にメディアデータを表示させたり、メディアソースの使用状況を表示させる表示制御部８０とを含んで構成される。
【００１８】
図３(ａ)は、車両内のディスプレイの配置を模式的に示す平面図、図３（ｂ）はその側面図である。図４は、表示システムにおけるメディアソースの具体的な構成例を示す図である。図３に示すように、車室内には５つのディスプレイ１００、１１０、１１２、１２０、１２２が設置されており、運転席および助手席の前面にフロント用のディスプレイ１００、第１の後部座席の左右にそれぞれディスプレイ１１０、１１２、さらに第２の後部座席の左右にそれぞれディスプレイ１２０、１２２が設置されている。
【００１９】
また、メディアソースは、ラジオ受信機２００、ＣＤプレーヤー２０２、ハードディスク装置２０４およびナビゲーション装置２０６を含むシステムユニット２２０と、ＤＶＤプレーヤー２０８および外部入力２１０を含むシステムユニット２３０、ならびにＤＶＤチェンジャー２１２を含んでいる。システムユニット２２０は、図３（ｂ）に示すようにフロント側に設置され、システムユニット２３０およびチェンジャー２１２は後部座席側に設置されている。システムユニット２２０、２３０およびチェンジャー２１２は、図示しない車内バスによって接続されている。
【００２０】
ディスプレイ１００、１１０、１１２、１２０、１２２は、それぞれフラットタイプのディスプレイであり、ディスプレイ上のタッチパネルまたは入力部３０を介して希望するメディアソースを選択し、メディアを視聴することができる。
【００２１】
次に、本実施例の表示システムの動作について図５のフローチャートを参照して説明する。システムの電源が投下された状態において、各ユーザーは、入力部３０からメディアソースを選択すると、それに応答してソース選択部５０がメディアソースの選択制御を行い、選択されたメディアソースのデータがディスプレイ上に表示される。
【００２２】
システム制御部４０は、入力部３０の入力を監視し（ステップＳ１０１）、メディアソースの使用状況の表示を要求する入力の有無をチェックする（ステップＳ１０２）。例えば、図６に示すように、ディスプレイ画面には、メディアソースによって提供される映像データ３００が表示されるとともに、タッチパネル式の入力ボタンとして、使用状況の表示を要求するボタン３１０、表示切替ボタン３２０、電源のＯＮ／ＯＦＦボタン３３０が表示される。
【００２３】
使用状況表示の入力があると（ステップＳ１０２）、使用状況判別部６０（図２を参照）は、その入力がどのディスプレイから行われたかを判別する（ステップＳ１０３）。次に、使用状況判別部６０は、ソース選択部５０におけるメディアソースの選択状況をチェックし、どのディスプレイがどのメディアソースを使用しているかを判別する（ステップＳ１０４）。判別された結果は、メモリ７０に記憶されるとともに、表示制御部８０へ出力される。
【００２４】
表示制御部８０は、使用状況判別部６０の判別結果に基づき、各ディスプレイのメディアソースの使用状況を、要求があったディスプレイに表示させる（ステップＳ１０５）。
【００２５】
図７は、本実施例によるメディアソースの使用状況をマトリックス表示した例である。この例では、第２の後部座席左側に設置されたディスプレイ１２２から使用状況表示の要求があった場合を示している。マトリックス表示、すなわち、縦方向には、ナビゲーション装置、ラジオ受信機、ＣＤプレーヤー、ハードディス装置、ＤＶＤプレーヤー、ＤＶＤチェンジャー、外部入力（ＡＵＸ）のすべてのメディアソースが配列され、横方向には、フロントおよびリアに設置されたすべてのディスプレイ１００、１１０、１１２、１２０、１２２が配列されている。そして、各メディアソースと各ディスプレイとの交差する欄に、使用されているメディアの内容が示されている。
【００２６】
例えばフロントのディスプレイ１００は、ナビゲーション装置２０６を使用している。ナビゲーション装置と他のディスプレイとの交差する欄には「−」が表示され、これは、ディスプレイ１００以外での使用または選択ができないことを意味している。第1後部座席右側のディスプレイ１１０は、ラジオ受信機を使用中であり、メディア内容として、「ＦＭ東京」を視聴していることが示されている。第1後部座席左側のディスプレイ１１２は、ＤＶＤプレーヤーを使用中であり、視聴しているジャケットもしくはタイトルが表示されている。さらに第２後部座席右側のディスプレイ１２０は、ＣＤプレーヤーを使用中であり、視聴しているジャケットもしくは曲タイトル等が表示されている。
【００２７】
ディスプレイ１２２は、自身のディスプレイを他のディスプレイと区別するために異なるコントラスト等によって表示される（図では斜線のハッチングにて表示）。また、ディスプレイ１２２の列は、他のディスプレイにおいて使用中のメディアソースとの共有を可能であること示す識別表示３４０と、いずれのディスプレイも未使用であり、当該ディスプレイ１２２によって選択可能なメディアソースを示す識別表示３５０とが示されている。例えば、ハードディスク装置２０４、ＤＶＤチェンジャー２０８および外部入力２１０は、どのディスプレイでも未使用であるため、ディスプレイ１２２で使用または選択可能である。ディスプレイ１１０で視聴しているＦＭ東京、ディスプレイ１１２で視聴しているＤＶＤの内容、ディスプレイ１２０で視聴しているＣＤの内容は、ディスプレイ１２２において共有することが可能である。
【００２８】
識別表示３４０、３５０を選択入力することで、メディアソースの選択を行うことが可能である。この選択は、例えば、リモコンによりカーソルを操作して入力してもよいし、マトリクス表示からタッチパネル方式で入力しても良い。タッチパネル入力であれば、ディスプレイ１２２とラジオチューナーの交差欄の識別表示３４０をタッチすれば、ディスプレイ１２２においてラジオ受信機が選択され、ＦＭ東京の視聴が可能となる。ハードディスク装置との交差欄をタッチすれば、ハードディスク装置が新たに選択される。
【００２９】
再び図５のフローチャートに戻り、図７に示すようなマトリックス表示からメディアソースの選択が行われると（ステップＳ１０６）、使用状況判別部６０は、メモリ７０の使用状況を参照し、選択されたメディアソースが他のディスプレイにおいて使用されているか否かを判別する（ステップＳ１０７）。
【００３０】
選択されたメディアソースが他のディスプレイで使用中であるとき、使用状況判別部６０は、選択されたメディアソースのデータが複数のディスプレイ間で共有されるようにソース選択部５０を制御する。これにより、表示制御部８０は、一つのメディアソースのデータを複数のディスプレイに表示させ、メディアソースを共有させる（ステップＳ１０８）。
【００３１】
一方、選択されたメディアソースがいずれのディスプレイにおいて未使用であるとき、使用状況判別部６０は、ソース選択部５０を制御し、選択されたメディアソースを要求のあったディスプレイに接続させる（ステップＳ１０９）。これにより表示制御部８０は、要求のあったディスプレイに対し、選択されたメディアソースのメニュ画面などを表示させ、スタンバイ状態にする。
【００３２】
このように、本実施例によれば、各ディスプレイがどのメディアソースを使用しているのかをマトリックス表示させることで、各ユーザーは、一見してメディアソースの使用状況を認識することができる。その結果、選択可能なメディアソースを容易に認識でき、また、他のユーザーが視聴しているメディア内容に興味があるときはそれを共有することができる。
【００３３】
上記実施例では、メディアソースの使用状況をマトリックス表示としたが、これ以外にも、例えば図８(ａ)に示すように、すべてのメディアソースに対する使用、未使用を示し、かつ使用されている場合には、ディスプレイの座席位置を併せて表示するようにしてもよい。図８(ａ)の例は、ディスプレイ１２２（第２後部座席左側）から使用状況の表示要求があった例であり、その使用状況は省略してあるが、勿論、ここに追加してもよい。このような表示により、ユーザーは、選択可能なメディアソースを容易に知ることができる。
【００３４】
また、図８（ｂ）に示すように、車室内のディスプレイの設置状況を模式的に示したイメージ図４００と、併せて、メディアソースの使用状況を表示するようにしてもよい。ユーザーは、イメージ図４００を参照して、メディアソースを使用しているディスプレイを直観的に把握することができる。
【００３５】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００３６】
上記実施例のメディアソースは、単なる例示にすぎず、必ずしもこれらをすべて包含する必要はないし、これらに他のメディアデバイスを追加するものであってもよい。また、車室内に配置されるディスプレイの位置や数も適宜変更が可能である。さらに、車載、車両および車室は、自動車に限定されるものではなく、移動可能なすべての乗り物を包含するものである。
【産業上の利用可能性】
【００３７】
本発明に係る表示システムは、自動車、船舶、飛行機等を初めとする乗り物において複数のディスプレイにより複数のメディアソースが使用可能なエンターテイメントにおいて利用することができる。
【図面の簡単な説明】
【００３８】
【図１】本発明の実施例に係る表示システムの構成を示すブロック図である。
【図２】図１のシステム制御部の内部構成を示すブロック図である。
【図３】図３(ａ)は、本実施例による車両内のディスプレイの配置を模式的に示す平面図、図３（ｂ）はその側面図である。
【図４】図４は、表示システムの具体的な構成例を示す図である。
【図５】本発明の表実システムの動作を説明するフローチャートである。
【図６】使用状況表示を要求する入力画面の例である。
【図７】使用状況をマトリックス表示する例である。
【図８】使用状況の他の表示例である。
【符号の説明】
【００３９】
１：表示システム                      １０：メディアソース
２０：ディスプレイ                    ３０：入力部
４０：システム制御部                  ５０：ソース選択部
６０：使用状況判別部                  ７０：メモリ
８０：表示制御部
１００、１１０、１１２、１２０、１２２：ディスプレイ
【図１】
2006003505.tif 000003
【図２】
2006003505.tif 000004
【図３】
2006003505.tif 000005
【図４】
2006003505.tif 000006
【図５】
2006003505.tif 000007
【図６】
2006003505.tif 000008
【図７】
2006003505.tif 000009
【図８】
2006003505.tif 000010